(57)【特許請求の範囲】
【請求項１】
送信者情報とメッセージ情報を含むデータを受信する受信手段と、
この受信手段により受信されたデータの送信者情報とメッセージ情報と対応付けて記憶する第１の記憶手段と、
前記受信手段により受信されたデータのメッセージ情報に基づく定形メッセージを表示する表示手段とを備えたデータ受信装置において、
前記受信手段により受信されたデータの送信者と前記第１の記憶手段に記憶されたデータの送信者とが同じ送信者か否かを送信者情報を比較して判別する共に、メッセージが同じか否かをメッセージ情報を比較して判別する判別手段と、
この判別手段により同じ送信者から同じメッセージを受信したと判別した場合、前記受信手段によるデータ受信が直前のデータ受信から所定時間内か否かを判別する受信間隔判別手段と、
前記受信間隔判別手段により所定時間内であった場合、前記第１の記憶手段における送信者に対応して記憶されている前記受信されたメッセージの受信回数を示すカウント値を更新するカウント手段と、
前記カウント値それぞれに対応する定形の語句を記憶する第２の記憶手段と、
前記第２の記憶手段から、前記カウント手段によるカウント値に応じた語句を選択して、前記定形メッセージの置換可能な語句に置換する定形メッセージ修飾手段と、
この定形メッセージ修飾手段により修飾されたメッセージを新たなメッセージとして前記表示手段に表示する表示制御手段と、
を備えたことを特徴とするデータ受信装置。
【請求項２】
送信者情報とメッセージ情報を含むデータを受信する受信手段と、
この受信手段により受信されたデータの送信者情報とメッセージ情報と対応付けて記憶する第１の記憶手段と、
前記受信手段により受信されたデータのメッセージ情報に基づく第１のメッセージを表示する表示手段とを備えたデータ受信装置において、
前記受信手段により受信されたデータの送信者と前記第１の記憶手段に記憶されたデータの送信者とが同じ送信者か否かを送信者情報を比較して判別する第１の判別手段と、
前記第１の判別手段により同じ送信者からメッセージを受信したと判別した場合、メッセージ情報に基づくメッセージ内容に連続して同じ語句があるか否かを判別する第２の判別手段と、
前記第２の判別手段により同じ語句があると判別した場合、前記受信手段によるデータ受信が直前のデータ受信から所定時間内か否かを判別する受信間隔判別手段と、
前記受信間隔判別手段により所定時間内であった場合、前記第１の記憶手段における送信者に対応して記憶されている前記受信されたメッセージが連続して含まれる回数を示すカウント値を更新するカウント手段と、
前記カウント値それぞれに対応して前記第２の判別手段により判別された前記受信手段によって受信されたメッセージに含まれる語句を修飾する指令を記憶する第２の記憶手段と、
前記第２の記憶手段から、前記カウント手段によるカウント値に応じた修飾指令に応じて前記受信メッセージに含まれる語句を修飾する語句修飾手段と、
この語句修飾手段により特定の語句が修飾された受信メッセージを送信者からのメッセージとして前記表示手段に表示する表示制御手段と、
を備えたことを特徴とするデータ受信装置。
【請求項３】
前記第１の判別手段と前記第２の判別手段は、第１の記憶手段に記憶されている直前に受信されたデータと今回に受信した送信者情報とメッセージ情報それぞれを比較することを特徴とする請求項２記載のデータ受信装置。
【発明の詳細な説明】
【０００１】
【発明の属する技術分野】
本発明は、データ受信装置、及びデータ受信システムに係り、詳細には、ページングシステムに適用されるページング受信機等、受信したデータに基づいてメッセージ等を表示する表示機能に関する。
【０００２】
【従来の技術】
近時、ページング受信機（以下、ページャーと略称する）は、自動車電話や携帯電話に比べて使用料金が安いため、企業が営業マンの外出先から電話連絡用として持たせるだけでなく、個人が外出中の友人との手軽なコミュニケーションツールとして利用するケースが急増している。
【０００３】
従来のページャーのアクセス手段としては、個人の場合には電話があり、企業、個別情報提供者の場合には、オペレーションサービス会社、パソコン入力、情報加工会社等がある。
【０００４】
これらのアクセス手段で作成されたメッセージは、公衆回線網を介してページャーサービス会社に送信され、ページャーサービス会社から個人所有、若しくは、企業所有のページャーの発信加入者識別情報（以下、ページャーＩＤコードと略称する）別に無線放送信号として加工されて送信される。
【０００５】
ページャーには、数字情報の表示が可能なＮＰ（ニューメック・ページャー）型、文字情報の表示が可能なＩＰ（インフォーメーション・ページャー）型等あり、ページャーサービス会社から無線送信されるメッセージデータを受信すると、当該受信メッセージデータに基づいて、発呼者の連絡先電話番号や、フリー伝言メッセージや、定型文メッセージ等を表示部に表示することにより、ページャーの所有者に対して、発呼者からの簡単なメッセージを伝達することができる。
【０００６】
【発明が解決しようとする課題】
しかしながら、このような従来のページャーのメッセージ表示にあっては、送信者は一度受信したメッセージデータに対して返答がない場合においては、送信すべきメッセージデータを新たに作成し直して、異なるメッセージデータを作成して送信する必要があり、送信者の煩に絶えず使い勝手が良くないという問題があった。
【０００７】
そこで、本発明は、上記課題に鑑み、送信者が同一のメッセージデータを何回か送るのみでメッセージの重要度や送信者の意志などが表示可能な、メッセージ表示機能を備えたデータ受信装置を提供することを目的とする。
【０００８】
【課題を解決するための手段】
本発明の態様のひとつであるデータ受信装置は、送信者情報とメッセージ情報を含むデータを受信する受信手段と、この受信手段により受信されたデータの送信者情報とメッセージ情報と対応付けて記憶する第１の記憶手段と、前記受信手段により受信されたデータのメッセージ情報に基づく定形メッセージを表示する表示手段とを備えたデータ受信装置において、前記受信手段により受信されたデータの送信者と前記第１の記憶手段に記憶されたデータの送信者とが同じ送信者か否かを送信者情報を比較して判別する共に、メッセージが同じか否かをメッセージ情報を比較して判別する判別手段と、この判別手段により同じ送信者から同じメッセージを受信したと判別した場合、前記受信手段によるデータ受信が直前のデータ受信から所定時間内か否かを判別する受信間隔判別手段と、前記受信間隔判別手段により所定時間内であった場合、前記第１の記憶手段における送信者に対応して記憶されている前記受信されたメッセージの受信回数を示すカウント値を更新するカウント手段と、前記カウント値それぞれに対応する定形の語句を記憶する第２の記憶手段と、前記第２の記憶手段から、前記カウント手段によるカウント値に応じた語句を選択して、前記定形メッセージの置換可能な語句に置換する定形メッセージ修飾手段と、この定形メッセージ修飾手段により修飾されたメッセージを新たなメッセージとして前記表示手段に表示する表示制御手段と、を備えることによって前述した課題を解決する。
【００１３】
また、本発明の別の態様のひとつであるデータ受信装置は、送信者情報とメッセージ情報を含むデータを受信する受信手段と、この受信手段により受信されたデータの送信者情報とメッセージ情報と対応付けて記憶する第１の記憶手段と、前記受信手段により受信されたデータのメッセージ情報に基づく第１のメッセージを表示する表示手段とを備えたデータ受信装置において、前記受信手段により受信されたデータの送信者と前記第１の記憶手段に記憶されたデータの送信者とが同じ送信者か否かを送信者情報を比較して判別する第１の判別手段と、前記第１の判別手段により同じ送信者からメッセージを受信したと判別した場合、メッセージ情報に基づくメッセージ内容に連続して同じ語句があるか否かを判別する第２の判別手段と、前記第２の判別手段により同じ語句があると判別した場合、前記受信手段によるデータ受信が直前のデータ受信から所定時間内か否かを判別する受信間隔判別手段と、前記受信間隔判別手段により所定時間内であった場合、前記第１の記憶手段における送信者に対応して記憶されている前記受信されたメッセージが連続して含まれる回数を示すカウント値を更新するカウント手段と、前記カウント値それぞれに対応して前記第２の判別手段により判別された前記受信手段によって受信されたメッセージに含まれる語句を修飾する指令を記憶する第２の記憶手段と、前記第２の記憶手段から、前記カウント手段によるカウント値に応じた修飾指令に応じて前記受信メッセージに含まれる語句を修飾する語句修飾手段と、この語句修飾手段により特定の語句が修飾された受信メッセージを送信者からのメッセージとして前記表示手段に表示する表示制御手段と、を備えるように構成することにより上述した課題を解決する。
【００１４】
また、前述した本発明に係るデータ受信装置において、前記第１の判別手段と前記第２の判別手段は、第１の記憶手段に記憶されている直前に受信されたデータと今回に受信した送信者情報とメッセージ情報それぞれを比較することができる。
【００１５】
また、前述した本発明に係るデータ受信装置において、前記受信手段による直前のデータ受信からデータ受信が無い状態が所定時間以上継続した場合には、前記カウント手段によりカウントされた値を消去する消去手段を備えることができる。
【００２３】
【発明の実施の形態】
以下、図１〜図１６を参照して本発明のデータ受信装置に係る実施の形態を説明する。
【００２４】
（第１の実施の形態）
図１〜図１０は、本発明をページャーに適用した場合の第１の実施の形態を示す図である。
先ず、第１の実施の形態に係るページャーの構成を、図１〜図１０に基づいて説明する。
図１は、本実施の形態に係るページャー１のブロック構成例を示す図である。
【００２５】
図１において、ページャーは、アンテナ１、受信部２、デコーダ部３、ＩＤ−ＲＯＭ４、着信処理制御部５、メイン制御部６、キー入力部７、着信回数メモリ（ＲＡＭ）８、送信者データメモリ（ＲＯＭ）９、ＲＯＭ１０、メッセージメモリ（ＲＡＭ）１１、定型メッセージＲＯＭ１２、発光部１３、報音部１４、及び表示部１５等から構成されている。
【００２６】
アンテナ１は、例えばループアンテナからなり、図示しないページャーのサービス会社から無線送信される呼出信号を受信して受信部２に出力する。
【００２７】
受信部２は、アンテナ１の電圧制御を行うと共に、デコーダ部３により駆動制御され、アンテナ１より入力される無線信号を間欠受信し、検波、増幅した後、ディジタルデータに変換してデコーダ部３に出力する。
【００２８】
デコーダ部３は、着信処理制御部５、メイン制御部６の制御により、受信部２に対し、着信待ち状態においては間欠受信を指示する制御信号を供給すると共に、受信部２より入力される無線信号を着信したビットレートに合わせてパラレルデータに並べ換え、このパラレルデータをバスＢを介して着信処理制御部５のバッファメモリ５１へ出力する。
【００２９】
ＩＤ−ＲＯＭ４は、自己への着信を特定する為のＩＤコード（自己フレームＮｏ．データ、アドレスデータ）を登録するメモリエリアを形成し、また、着信処理に際して出力されたアドレスデータに対して、自己への呼出か否かを照合する為に使用される。
【００３０】
着信処理制御部５は、バッファメモリ５１、デインターリーブ回路５２、ＢＣＨ訂正回路５３、及び照合回路５４からなり、パラレルデータ化された着信データのインターリーブ回復、誤り訂正処理を行い、自己への着信か否かをＩＤ−ＲＯＭ４に設定されたアドレスデータにより照合し、一致した場合は着信したフレームを継続受信するように制御する。
【００３１】
キー入力部７は、電源スイッチ７ａ、セットキー７ｂ、セレクトキー７ｃ、及びモードキー７ｄ等により構成され、各キーの入力操作に応じた指示信号を制御部６に出力する。
【００３２】
着信回数メモリ（ＲＡＭ）８は、図２に示すように、着信した送信者コードと、定型メッセージコード（指定コード）と、及び同一の送信者コードで同一の定型メッセージコードを含むメッセージデータの着信回数を示すカウンタレジスタとを対応づけて記憶するメモリエリアを形成する。即ち、タイマー部６２で計測される所定時間内に同一の送信者コードによる同一の定型メッセージコードが着信される毎にカウントレジスタが＋１カウントアップされる。
【００３３】
例えば、図２において、第１列目のデータである送信者コード「０１」、定型メッセージコード「０２」、及びカウントレジスタ「２」は、送信者コード「０１」及び定型メッセージコード「０２」のメッセージデータを２回着信したことを示している。
【００３４】
また、第２列目のデータである送信者コード「０２」、定型メッセージコード「０６」、及びカウントレジスタ「１」は、送信者コード「０２」及び定型メッセージコード「０６」のメッセージデータを１回着信したことを示している。
【００３５】
送信者データメモリ（ＲＯＭ）９は、図３に示すような送信者コードに対応する送信者名及び連絡先（電話番号）のデータを記憶するメモリエリアを形成し、メイン制御部６が着信データより送信者コードを検出した際には、この送信者コードに対応する送信者名のデータが読み出されて、ディスプレイ１５２の送信者名表示領域１５２ｃに表示される。
そして、着信したメッセージデータに送信者名指定データ”］］”が存在した場合、このデータの後に続く、２桁の数値データ（送信者コード）に対応する送信者名のデータが図３に示す送信者データメモリ（ＲＯＭ）９から読み出される。例えば、着信したメッセージデータが”］］０１”であれば、「Ａ．Ａ」という送信者名が読み出される。
【００３６】
ＲＯＭ１０は、着信処理制御部５やメイン制御部６により実行されるページャーの各回路部を制御するための各種制御プログラムや各種データを格納するメモリエリアを形成する。
【００３７】
定型メッセージＲＯＭ１２は、図４に示すように、定型（固定）メッセージメモリＳＭ及び変形メッセージメモリＶＭの各メモリエリアを形成する。
【００３８】
図４に示す定型（固定）メッセージメモリＳＭは、図５に示すように、定型メッセージコードと、定型メッセージ（固定部分）と、及び同一の送信者コードによる同一の定型メッセージコードの着信回数（図２に示す着信回数メモリ８のカウントレジスタ値に対応）に応じてメッセージの変更表示を行うか否かを指定するフラグとを対応づけて格納するメモリエリアを形成し、「０１」、「０２」・・・等の定型メッセージコードに「キンキュウ」、「ＴＥＬセヨ」・・・等の定型（固定）メッセージが対応している。ここで、フラグ「０」は、着信回数に応じて変更表示を行わないことを指定し、「１」は着信回数に応じて変更表示を行うことを指定している。
【００３９】
そして、着信したメッセージデータに定型メッセージ指定データ”［［”が存在した場合、この定型メッセージ指定データの後に続く、定型メッセージコードに対応する定型メッセージが図５に示す定型（固定）メッセージメモリＳＭから読み出される。例えば、着信したメッセージデータが”［［０２”であれば、「ＴＥＬセヨ」という定型（固定）メッセージが読み出される。
【００４０】
図４に示す変形メッセージメモリＶＭは、図６に示すように、同一の送信者コードと同一の着信回数（図２に示す着信回数メモリ８のカウントレジスタ値に対応）と、上記着信回数に応じた定型（固定）メッセージの加工内容として、定型（固定）メッセージに対応する変形メッセージとを対応づけて格納するメモリエリアを形成し、着信回数「０１」、「０２」、・・・には、「      」、「ハヤク」、・・・等の変形メッセージが対応している。
【００４１】
メッセージメモリ（ＲＡＭ）１１は、着信データを一時的に格納する書き込み及び読み出しが可能なメモリエリアを形成し、例えば、着信メッセージデータを複数格納する。
【００４２】
報音部１４は、メイン制御部６からの制御に基づいてドライバ１４１を駆動させ、報音部１４２から報知音を出力し、使用者に対して着信を報知する。
【００４３】
発光部１３は、メイン制御部６からの制御に基づいてドライバ１３１を駆動させ、ＬＥＤ１３２を点滅させて、使用者に対して着信を報知する。
【００４４】
表示部１５は、例えば、低反射型の液晶パネルで構成されるディスプレイ１５２と、バッファを含むドライバ１５１からなり、ディスプレイ１５２は数字や文字による定型メッセージを表示するメッセージ表示領域１５２ｂと送信者名を表示する送信者名表示領域１５２ｃと、自己宛のメッセージデータの着信を示すアイコンを表示するアイコン表示領域１５２ａにより構成されている。
【００４５】
メイン制御部６は、主としてＣＰＵ（Central Processing Unit ）から構成されており、ＲＯＭ１０に格納されている各種制御プログラムに基づいて着信処理制御部５より出力される着信データをメッセージメモリ（ＲＡＭ）１１に格納すると共に、キー入力部７から入力される入力指示信号に応じてページャー内の各部を制御する。
【００４６】
また、メイン制御部６は、同一の送信者コードで同一の定型メッセージコードを含むメッセージデータを着信した場合に、その着信回数をカウントするカウンタ部６１と、任意の送信者コード及び定型メッセージコードを着信してから、この送信者コード及び定型メッセージコードと同一の送信者コード及び定型メッセージコードを２回目、３回目、・・・・に着信するまでの時間（ラップ時間）を計測するタイマ部６２とを内蔵している。
【００４７】
更に、メイン制御部６は、後述する着信処理において、着信したメッセージデータに、定型メッセージの表示を指定する定型メッセージ指定データと定型メッセージコードとが含まれていることを検出し、また、図５に示す定型メッセージメモリＳＭにおいて定型メッセージコードに着信回数に応じて表示内容を変更するためのフラグがセットされており、且つ、着信メッセージデータに送信者コードが含まれ、このメイン制御部６のタイマ部６２で計測されるタイマ値が所定値以内である場合は、図２に示す着信回数メモリ８の対応するカウントレジスタの値を＋１カウントアップする。
【００４８】
そして、メイン制御部６は、図３に示す送信者データメモリ（ＲＯＭ）１２から、着信した送信者コードに対応する送信者名のデータを読み出し、また、定型メッセージコードに対応する定型メッセージの固定部分のデータを、図５に示す定型（固定）メッセージメモリＳＭから検索し、カウントされた着信回数、即ち、送信者データメモリ（ＲＯＭ）１２のカウンタレジスタの値に基づいて、定型メッセージの変形部分のデータを図６に示す変形メッセージメモリＶＭから検索し、読み出した送信者名をディスプレイ１５２の送信者名表示領域１５２ｃに表示すると共に、検索した定型メッセージの固定部分と変形部分とをメッセージ表示領域部１５２ｂに合成表示するように制御する。
【００４９】
次に、本実施の形態の動作を説明する。
以下、本実施の形態に係るページャーにより実行される着信処理について図７に示すフローチャートに従って説明する。
【００５０】
先ず、ページャー１の電源スイッチがＯＮされると、着信処理制御部５、及びメイン制御部６の制御により初期設定を行う。次いで、受信部２は間欠受信を開始し、いわゆる着信待ち状態となる（ステップＳ１）。そして、自己フレームを受信すると、着信処理制御部５は、ページャーサービス会社から送信される当該ページャーへの呼出信号の着信検出の有無を判断し、呼出信号を着信した場合は、その呼出信号のアドレスデータがＩＤ−ＲＯＭ４に格納されているアドレスデータと一致しているか否かを判断し（ステップＳ２）、一致していない場合は、当該着信処理を終了し、一致している場合は当該フレームの受信を継続する。次いで、メイン制御部６は、着信処理制御部５より出力される着信データを取り込んでメッセージメモリ１１に格納し（ステップＳ３）、更に、この取り込まれた着信データにメッセージデータが含まれているか否かを判別する（ステップＳ４）。
【００５１】
ステップＳ４において、メイン制御部６は、着信データにメッセージデータが含まれていないと判断した場合には、ステップＳ１３に移行して、ディスプレイ１５２に着信報知のみであることを表示させる。一方、着信データにメッセージデータが含まれている場合は、ステップＳ５に移行して、更に、メッセージデータ中に定型メッセージデータと定型メッセージコードとが含まれているか否かを判別する（ステップＳ５）。
【００５２】
ステップＳ５で、定型メッセージデータと定型メッセージコードとが含まれていると判断した場合はステップＳ６に移行する。一方、定型メッセージデータと定型メッセージコードとが含まれていないと判断した場合は、ステップＳ１６に移行して、ディスプレイ１５２で着信を報知すると共に、メッセージ表示領域１５２ｂにこのメッセージデータに基づいたメッセージ内容を表示する。
【００５３】
そして、ステップＳ６で、図５に示す定型データＲＯＭ１２の定型メッセージメモリＳＭにおいて、着信した定型メッセージコードに、着信回数に応じて表示内容の変更を行うか否かを指定するフラグがセットされているか否かを判断し、フラグがセットされている場合（フラグ＝「１」）は、ステップＳ７に移行する一方、フラグがセットされていない場合（フラグ＝「０」）は、ステップＳ１４に移行する。
【００５４】
また、ステップＳ７においては、着信メッセージデータ中に送信者名指定データと送信者コードとが含まれているか否かを判別し、送信者名指定データと送信者コードとが含まれていると判断した場合は、ステップＳ８に移行する一方、両者が含まれていないと判断した場合はステップＳ１４に移行する。
【００５５】
ステップＳ８では、メイン制御部６のタイマ６１部により計測される、今回着信した送信者コード及び定型メッセージコードと同一の送信者コード及び定型メッセージコードを、最初に着信してから今回着信するまでのタイマ値が所定値（例えば、３０分）以内であるか否かを判断し、所定値以内である場合はステップＳ９に移行する一方、所定値以内でなければステップＳ１４に移行する。
【００５６】
すなわち、タイマ値が所定値以上である場合は、着信回数に応じて表示内容を変更する処理（後述するステップＳ９〜Ｓ１２）を行わないで、着信回数をリセットして、再度タイマーをスタートさせ、後述する如く、定型メッセージコードに応じた定型メッセージが表示される（ステップＳ１４、Ｓ１５）。
【００５７】
尚、今回着信した送信者コードと定型メッセージコードとが、新たに着信したものである場合、これらのデータを着信回数メモリ８に記録し、タイマー６２をスタートさせる。
【００５８】
ステップＳ１４においては、定型メッセージコードに対応する定型メッセージを図５に示す定型（固定）メッセージメモリＳＭから検索し、次いで、ディスプレイ１５２で着信を報知するととともに、検索した定型メッセージをメッセージ表示領域１５２ｂに表示して（ステップＳ１５）、当該着信処理を終了する。
【００５９】
ステップＳ９では、着信した送信者コード及び定型メッセージコードに対応する、図２に示す着信回数メモリ８のカウントレジスタを「１」カウントアップし、次いで、図３に示す送信者データメモリ（ＲＯＭ）９から、着信した送信者コードに対応する送信者名のデータを読出すと共に、着信した定型メッセージコードに対応する定型メッセージの固定部分のデータを、図５に示す定型メッセージメモリＳＭから検索する（ステップＳ１０）。
【００６０】
引き続いて、カウントされた着信回数（着信回数メモリ８のカウントレジスタ値）に基づき、定型メッセージの変形部分を図６に示す変形メッセージメモリＶＭから検索し（ステップＳ１１）、そして、読み出した送信者名をディスプレイ１５２の送信者名表示領域１５２ｃに表示すると共に、検索した定型メッセージの固定部分と変形部分とをメッセージ表示領域１５２ｂに合成表示して（ステップＳ１２）、当該着信処理を終了する。
【００６１】
次に、上記着信処理によりディスプレイ１５２に表示される着信メッセージデータに基づくメッセージ内容の表示例を図８〜１０に基づいて説明する。
【００６２】
図８は、着信メッセージデータとして、”［［０９”を着信した場合の表示例である。
上記着信メッセージデータにおいて、先頭の”［［”は、定型メッセージ指定データであり、この後に続く定型メッセージコード”０９”に対応する定型メッセージ「ＦＡＸセヨ」が図５に示す定型メッセージテーブルから読出されて、図９に示すように、メッセージ内容がディスプレイ１５２のメッセージ表示領域１５２６に「ＦＡＸセヨ」が表示される。
【００６３】
図９は、着信メッセージデータとして、所定時間内において”［［０２］］０１”を３回目に着信した場合の表示例である。
上記メッセージデータを着信すると、定型メッセージコード”０２”は、図５の定型（固定）メッセージメモリＳＭに示される様な、表示内容の変更を指定するフラグがセットされているので、図２の着信回数メモリで送信者名指定データ“］］”に続く送信者コード”０１”と定型メッセージコード”０２”に対応するカウントレジスタの値がカウントをアップして、「３」に設定される。
【００６４】
次いで、送信者コード”０１”に対応する送信者名「Ａ．Ａ」が図３に示す送信者データメモリ９から読み出されるとともに、定型メッセージコード”０２”に対応する定型メッセージの固定部分「ＴＥＬセヨ」が、図５に示す定型（固定）メッセージメモリＳＭから検索される。そして、カウントされた着信回数即ち図２に示す着信回数メモリのカウントレジスタ値「３」に対応する変形メッセージ「スグニ」が図６に示す変形メッセージメモリＶＭから検索される。
【００６５】
そして、図９に示すように、ディスプレイ１５２の送信者名表示領域１５２ｃには送信者名「Ａ．Ａ」が表示されると共に、メッセージ表示領域１５２ｂには、定型メッセージの固定部分である「スグニ」と定型メッセージの変形部分である「ＴＥＬセヨ」とが合成された「スグニＴＥＬセヨ」が表示される。
【００６６】
図１０は、着信メッセージデータとして、所定時間内において”［［０２］］０１”を４回目に着信した場合の表示例である。
上記着信メッセージデータを着信すると、図２の着信回数メモリ８で送信者コード”０１”と定型メッセージコード”０２”とに対応するカウントレジスタの値がカウントアップされて、「４」に設定される。
【００６７】
次いで、送信者コード”０１”に対応する送信者名「Ａ．Ａ」が図３に示す送信者データメモリ９から読み出されるとともに、定型メッセージコード”０２”に対応する定型メッセージの固定部分「ＴＥＬセヨ」が、図５に示す定型メッセージメモリＳＭから検索される。そして、カウントされた着信回数、即ち、図２に示す着信回数メモリ８のカウントレジスタ値「４」に対応する変形メッセージ「シキュウ」が、図６に示す変形メッセージメモリＶＭから検索される。
【００６８】
そして、図１０に示すように、ディスプレイ１５２の送信者名表示領域１５２ｃには送信者名「Ａ．Ａ」が表示されると共に、メッセージ表示領域１５２ｂには、定型メッセージの固定部分である「シキュウ」と定型メッセージの変形部分である「ＴＥＬセヨ」とが合成された「シキュウＴＥＬセヨ」が表示される。
【００６９】
以上説明したように、本実施の形態においては、定型（固定）メッセージメモリＳＭに指定コード（定型メッセージコード）と定型メッセージの固定部分のメッセージとを対応づけて格納し、また、変形メッセージメモリＶＭに同一の送信者コードで同一指定コード（定型メッセージコード）の着信回数と定型メッセージの変形部分とを対応づけて格納し、定型メッセージコードと送信者コードとを着信した際には、着信したこれらのコード及びカウントされた着信回数に基づいて、定型（固定）メッセージメモリＳＭから定型メッセージの固定部分のメッセージ内容及び変形メッセージメモリＶＭから定型メッセージ内容の変形部分を夫々検索し、これら検索した定型メッセージ内容の固定部分及び変形部分をディスプレイ１５２に表示するものである。
【００７０】
従って、送信者が同ーのメッセージデータを何回か送るのみでメッセージ内容の重要度や送信者の意志等をメッセージ内容として表示することができ、送信者の意志や感情を簡便な方法により受信者に伝達することが可能となって、操作者の使い勝手が良くなる。
【００７１】
尚、上記した実施の形態においては、定型メッセージ（固定部分及び変形部分）を図４に示す定型メッセージＲＯＭ１２に記憶する構成であるが、定型メッセージをＲＡＭ（又はＥＥＰＲＯＭ）に記憶して、定型メッセージの変形部分を設定及び編集可能な構成としても良い。
【００７２】
（第２の実施の形態）
図１１〜図１６は、本発明を適用したページャーの第２の実施の形態を示す図である。
先ず、第２の実施の形態のページャーの構成を、図１１〜図１６に基づいて説明する。
図１１は、第２の実施の形態として適用されるページャーのディスプレイ１５２の構成図である。
【００７３】
図１１において、第１の実施の形態のページャーの外観構成と同等機能を有する部部は同一符号を付し、かかる部分の説明は省略する。
第１の実施の形態と異なる点は、送信者名表示領域１５２ｃの代わりに似顔絵表示領域１５２ｄを備えている点である。
この似顔絵ディスプレイ１５２ｄには、後述する図１３の送信者データメモリ９に記憶されている送信者の似顔絵のイラストが表示される。
【００７４】
また、本実施の形態のページャー１のブロック構成は、図１で示したページャーのブロック構成とほぼ同等であり、第１の実施の形態と異なる点は、定型メッセージＲＯＭ１２に記憶されるデータの内容及び送信者データメモリ（ＲＯＭ）９に記憶されるデータの内容のみである。
【００７５】
定型メッセージＲＯＭ１２は、第１の実施の形態と異なり（図４）、図１２に示すように、定型（固定）メッセージ記憶領域のみを有しており、「０１」、「０２」・・・等の定型メッセージコードに「キンキュウ」、「ＴＥＬセヨ」・・・等の定型メッセージが対応づけられて格納されており、第１の実施の形態（図５）の如きフラグは格納されていない。
【００７６】
送信者データメモリ９には、図１３に示すように、第１の実施の形態（図３）で示した送信者コードに対応する送信者名及び連絡先（電話番号）のデータに加えて、送信者毎に、送信者の似顔絵イラストの固定パーツと、各送信者コード毎の同一の定型メッセージコードの着信回数１〜５（図２に示す着信回数メモリ８のカウントレジスタ値に対応）に対応づけてした変形パーツが記憶されている。
【００７７】
メイン制御部６は、後述する着信処理において、着信したメッセージデータに、送信者コード及び定型メッセージコードが含まれていることを検出した場合には、図２に示す着信回数メモリ８の対応する送信者の対応する送信者コードのカウントレジスタを「１」カウントアップして着信回数をカウントする。次いで、メイン制御部６は図１３に示す送信者データメモリ（ＲＯＭ）９から、着信した送信者コードに対応する送信者の似顔絵データの固定パーツを検索し、また、カウントされた着信回数に基づき、似顔絵データの変形パーツを検索する。そして、ディスプレイ１５２に着信表示を行うと共に、似顔絵表示領域１５２ｄに、検索した似顔絵データの固定パーツと変形パーツとを合成して似顔絵のイラストを表示し、更に、着信した定型メッセージコードに対応する定型メッセージを図１２に示される定型メッセージＲＯＭ１２から検索してメッセージ表示領域１５２ｂに表示するように制御する。
【００７８】
次に、第２の実施の形態の動作を説明する。
以下、本実施の形態に係るページャー１により実行される着信処理について図１４に示すフローチャートに従って説明する。
【００７９】
先ず、ページャーの電源スイッチがＯＮされると、着信処理制御部５、メイン制御部６の制御により初期設定を行う。次いで、受信部２は間欠受信を開始し、いわゆる着信待ち状態となる（ステップＳ２１）。そして、自己フレームを受信すると、着信処理制御部５は、ページャーサービス会社から送信される当該ページャーへの呼出信号の着信検出の有無を判断し、呼出信号を着信した場合は、その呼出信号のアドレスデータがＩＤ−ＲＯＭ４に格納されているアドレスデータと一致しているか否かを判断し（ステップＳ２２）、一致していない場合は、当該着信処理を終了し、一致している場合は当該フレームの受信を継続する。次いで、メイン制御部６は、着信処理制御部５により出力されるデータを取り込んでメッセージメモリ１１に格納し（ステップＳ２３）、更に、この取り込まれた着信データにメッセージデータが含まれているか否かを判別する（ステップＳ２４）。
【００８０】
ステップＳ２４において、メイン制御部６は、着信データにメッセージデータが含まれていないと判断した場合には、ステップＳ３２に移行して、ディスプレイ１５２に着信報知のみであることを表示する。一方、着信データにメッセージデータが含まれている場合は、ステップＳ２５に移行して、更に、メッセージデータ中に送信者名指定データと送信者コードとが含まれているか否かを判別する。
【００８１】
ステップＳ２５で、送信者名指定データと送信者コードとが含まれていると判断した場合はステップＳ２６に移行する。一方、これらのデータが含まれていないと判断した場合は、ステップＳ３５に移行して、着信を報知すると共に、着信したメッセージデータに基づいたメッセージ内容をディスプレイ１５２に表示する。
【００８２】
次いで、ステップＳ２６では、着信したメッセージデータに定型メッセージ指定データと定型メッセージコードとが含まれているか否かを判断し、これらのデータが含まれていないと判断した場合にはステップＳ３３に移行する。一方、含まれていると判断した場合には、ステップ２７に移行して、今回着信した送信者コード及び定型メッセージコードと同一の送信者コード及び定型メッセージコードを最初に着信してから今回着信するまでのタイマ値が所定値（例えば、３０分）以内であるか否かを判断し、所定値以内である場合はステップＳ２８に移行する一方、所定値以内でなければステップＳ３３に移行する。
【００８３】
ステップＳ３３では、着信した送信者コードに対応する似顔絵データの固定パーツと着信回数１回の変形パーツが、図１３に示す送信者データメモリ９から読み出される。次いで、ディスプレイ１５２で、着信報知すると共に、似顔絵表示領域１５２ｄに、読出した似顔絵固定パーツと変形パーツとを合成して似顔絵イラストを表示し、また、着信したメッセージデータに基づくメッセージ内容をメッセージ表示部に表示して（ステップＳ３４）、当該着信処理を終了する。
【００８４】
ステップＳ２８では、図２に示す着信回数メモリ８に対応する送信者の対応する送信者コードのカウントレジスタを「１」カウントアップして着信回数をカウントする。次いで、図１３の送信者データメモリ９から、着信した送信者コードに対応する送信者の似顔絵データの固定パーツを検索し（ステップＳ２９）、また、カウントされた着信回数に基づき、似顔絵データの変形パーツを検索する（ステップＳ３０）。そして、ディスプレイ１５２に着信表示を行うと共に、似顔絵表示領域１５２ｄに、検索した似顔絵固定パーツと変形パーツとを合成した似顔絵イラストを表示し、更に、着信した定型メッセージコードに対応する定型メッセージを図１２に示す定型メッセージＲＯＭ１２から読み出して、定型メッセージ表示領域１５２ｂに表示し（ステップＳ３１）て、当該着信処理を終了する。
【００８５】
次に、上記着信処理によりディスプレイ１５２に表示される着信メッセージデータの基づくメッセージ内容の表示例を図１５及び図１６に基づいて説明する。
【００８６】
図１５は、着信メッセージデータとして、所定時間内において”［［０２］］０１”を３回目に着信した場合の表示例である。
上記着信メッセージデータを着信すると、図２の着信回数メモリ８で送信者コード”０１”で定型メッセージコード”０２”に対応するカウントレジスタの値がカウントアップされてカウンタ値「３」が設定される。
【００８７】
次いで、図１３に示す送信者データメモリ９から、送信者コード”０１”に対応する送信者の似顔絵データの固定パーツが検索されるとともに、カウントされた着信回数、即ち図２に示す着信回数メモリ８のカウントレジスタ値「３」に対応する似顔絵データの変形パーツが検索される。
【００８８】
そして、図１５に示すように、図１１に示すディスプレイ１５２の似顔絵領域１５２ｄに、検索した似顔絵固定パーツと変形パーツとが合成された似顔絵イラストが表示され、更に、定型メッセージコード”０２”に対応する定型メッセージ「ＴＥＬセヨ」がメッセージ表示領域１５２ｂに表示される。
【００８９】
図１６は、着信メッセージデータとして、所定時間内において”［［０２］］０１”を４回目に着信した場合の表示例である。
上記着信メッセージデータを着信すると、図２に示す着信回数メモリ８で送信者コード”０１”で定型メッセージコード”０２”に対応するカウントレジスタの値がカウントアップされてカウンタ値「４」が設定される。
【００９０】
次いで、図１３に示す送信者データメモリ９から、送信者コード”０１”に対応する送信者の似顔絵データの固定パーツが検索されるとともに、カウントされた着信回数、即ち図２に示す着信回数メモリ８のカウントレジスタ値「４」に対応する似顔絵データの変形パーツが検索される。
【００９１】
そして、図１６に示すように、図１１に示すディスプレイ１５２の似顔絵領域１５２ｄに、検索した似顔絵固定パーツと変形パーツとが合成された似顔絵イラストが表示され、更に、定型メッセージコード”０２”に対応する定型メッセージ「ＴＥＬセヨ」がメッセージ表示領域１５２ｂに表示される。
【００９２】
以上説明したように、本実施の形態においては、図１２に示す定型メッセージＲＯＭ１２に定型メッセージコードと定型メッセージの固定部分のメッセージとを対応づけて格納し、また、図１３に示す送信者データメモリ９に同一の送信者コードで同一定型メッセージコードの着信回数と送信者の似顔絵データとを対応づけて格納し、送信者コードと定型メッセージコードを着信した際には、着信したこれらのコード及びカウントされた着信回数に基づいて、図１２に示す定型メッセージＲＯＭ１２及び図１３に示す送信者データメモリ９から夫々定型メッセージ及び似顔絵データを夫々検索し、これら検索した定型メッセージ及び似顔絵イラストをディスプレイ１５２に表示するものである。
【００９３】
従って、送信者が同ーのメッセージデータを何回か送るのみでメッセージの重要度や送信者の意思等を似顔絵イラストとして表示することができ、送信者の意志や表情を簡便な方法により受信者に伝達することが可能となって、操作者の使い勝手が良くなる。
【００９４】
尚、上記した実施の形態においては、着信した回数に応じて表示部の似顔絵を変化させる際に、イラストデータを用いたが、本発明はこれに限られるものではなく、例えば、ＣＤ−ＲＯＭに記憶された画像データを用いて合成して、メッセージ内容とは別に表示させても良い。
【００９５】
（第３の実施の形態）
次に、本発明を適用したページャーの第３の実施の形態について、図１７から図２２に基づいて説明する。
尚、本第３の実施の形態に係るページャーにおいて、図１７に示す着信回数メモリ２１を除く各部の構成は、上記第１及び第２の実施の形態に係るページャーとほぼ同等の構成によってなるので、図１に示す各部と同符号を付して説明を省略する。
【００９６】
図１７は、本第３の実施の形態に係るページャーにおける着信回数メモリ２１の構成を示す図である。この図１７に示すように、着信回数メモリ２１は、表示制御メモリ２１１と、回数カウントメモリ２１２とによって構成される。この着信回数メモリ２１には、同一の送信者から複数のメッセージデータが送信され、これら複数のメッセージデータに基づくメッセージ内容中に連続して同じ表示内容（過去に連続して表示した同一語句）があった場合に、その表示内容に対応するデータが格納される。
【００９７】
表示制御メモリ２１１は、図１８に示すように、同一の送信者からのメッセージデータ中に、ある表示内容が連続して含まれた回数を示すカウント値と、各カウント値に応じてディスプレイ１５２において実行される表示制御処理の内容を示す表示制御内容が格納されるメモリエリアを形成する。例えば、送信者名「Ａ．Ａ」によって示される送信者から送信されたメッセージデータを２回着信し、それらのメッセージデータ中に「会議」という表示内容（同一語句）が連続して含まれていた場合には、表示制御内容に従って、ディスプレイ１５２においては、表示内容「会議」の語句には下線が付されて表示が行われる。
【００９８】
回数カウントメモリ２１２は、図１９に示すように、同一の送信者から連続してメッセージデータを着信した際に、メッセージデータを送信した送信者を示す送信者コードと、着信した複数のメッセージデータに連続して含まれる表示内容と、着信した一連のメッセージデータのうち、直近のメッセージデータを着信してから経過した時間を示すタイマレジスタとを対応づけて記憶するためのメモリエリアを形成する。
【００９９】
図２０及び図２１は、本実施の形態に係るページャーの動作を示すフローチャートである。図２２は、ディスプレイ１５２において実行される表示の一例を示す図であり、図２３及び図２４は、図２２に示す表示が実行される際に、回数カウントメモリ２１２に各種データが格納された状態を示す図である。これらの図２０〜図２４に基づいて、本第３の実施の形態の動作を説明する。
【０１００】
まず、ページャーの電源スイッチがＯＮされると、着信処理制御部５、メイン制御部６の制御により初期設定を行う。次いで、受信部２は間欠受信を開始し、いわゆる着信待ち状態となる（ステップＳ４１）。そして、自己フレームを受信した後、着信処理制御部５は、アドレスデータ認識処理を行って、自己宛のデータであると確認し、メイン制御部６によって受信したデータが取り込まれる（ステップＳ４２）。その後、メイン制御部６は、取り込んだデータにメッセージデータが含まれているか否かを判別する（ステップＳ４３）。
【０１０１】
ステップＳ４３において、メイン制御部６が着信データにメッセージデータが含まれていないと判断した場合には、ステップＳ５６（図２１）に移行して、ディスプレイ１５２に着信報知のみであることを表示するとともに、発光部１３及び報知部１４によって着信報知を行う。一方、着信データにメッセージデータが含まれている場合は、ステップＳ４４に移行して、着信データをメッセージメモリ１１に格納し、更に、ステップＳ４５に移行して、メッセージデータ中に送信者名指定データ及び送信者コードが含まれているか否かを判別する。
【０１０２】
ステップＳ４５で、送信者名指定データと送信者コードとが含まれていると判断した場合はステップＳ４６に移行する。一方、これらのデータが含まれていないと判断した場合は、ステップＳ５７（図２１）に移行して、着信を報知すると共に、着信後メッセージメモリ１１に格納されたメッセージデータに基づいたメッセージ内容をディスプレイ１５２に表示する。
【０１０３】
ステップＳ４５において、着信データに送信者コードが含まれていた場合には、過去に着信し、着信回数メモリ２１内に既に格納されているデータを参照して、今回着信したデータに含まれた送信者コードと同一の送信者コードが記録されているか否かを判別する（ステップＳ４６）。
【０１０４】
このステップＳ４６において、メッセージメモリ１１内に、同一の送信者コードが記録されていない場合には、ステップＳ５８（図２１）に移行して、着信報知を行うとともに、送信者名と、今回着信したメッセージ内容をディスプレイ１５２上に表示する。また、メッセージメモリ１１内に、今回着信したデータの送信者と同一の送信者コードが記憶されていた場合には、ステップＳ４７に移行して、着信回数メモリ２１内に同一の送信者コードが記憶されているか否かを確認する。
【０１０５】
ステップＳ４７で、着信回数メモリ２１内に同一の送信者コードが記憶されていた場合には、ステップＳ４８に移行して、先に同一の着信者より送信されたメッセージ内容と、今回着信したメッセージ内容とを比較し、同一の表示内容を検索する。同一の表示内容が発見されないと判断した場合には（ステップＳ４９）、ステップＳ５５に移行して着信回数メモリ２１内に記憶された内容をクリアし、ステップＳ５８に移行して、着信報知及び送信者名とメッセージ内容の表示を行う。
【０１０６】
ステップＳ４８において、同一の表示内容が発見された場合には（ステップＳ４９）、ステップＳ５９（図２１）に移行して、発見された表示内容について、回数カウントメモリ２１２の表示内容に記憶されているカウンタバッファの値を＋１カウントアップし、さらにステップＳ６０に移行して、回数カウントメモリ２１２内に既に格納され、且つ、今回のメッセージ内容に含まれていない表示内容を、回数カウントメモリ２１２内において消去する。
【０１０７】
そして、ステップＳ６１に移行して、着信報知とともに、送信者名を表示し、さらに、表示制御メモリ２１１内に記憶された表示制御内容に基づいて差別化されたメッセージ内容を表示する。
【０１０８】
ステップＳ４７において、着信回数メモリ２１内に、今回着信したメッセージデータの送信者と同一の送信者コードが記憶されていない場合には、ステップＳ５０に移行して、今回メッセージデータを着信した着信時刻から、直近にメッセージデータを着信した着信時刻を減算し、減算値を算出してステップＳ５１に移行して、所定の値とステップＳ５０で算出した減算値とを比較する。この比較の結果、減算値が所定値以上であった場合には、ステップＳ５８に移行して着信報知及び送信者名とメッセージ内容の表示を行い、減算値が所定値よりも小さい場合には、ステップＳ５２に移行して、所定値から減算値を減算した結果をタイマレジスタに記録し、ステップＳ５３に移行する。
【０１０９】
その後、ステップＳ５３で、直近に着信したメッセージデータと、今回着信したメッセージデータとを比較し、同一の表示内容の有無を判断する（ステップＳ５４）。ステップＳ５４において、同一表示内容が無いと判断した場合には、ステップＳ５５に移行して着信回数メモリ２１内に記憶された内容をクリアして、ステップＳ５８に移行して着信報知及び送信者名とメッセージ内容の表示を行う。そして、ステップＳ５４で同一の表示内容があると判断された場合には、ステップＳ５９に移行して、同一表示内容に対応するカウンタバッファを更新し、ステップＳ６０において、今回のメッセージ内容に含まれていない表示内容を消去して、ステップＳ６１に移行する。ステップＳ６１では、着信報知を行うとともに、送信者名と、表示制御メモリ２１１内に格納された表示制御内容に従って差別化を行ったメッセージ内容を表示する。
【０１１０】
そして、ステップＳ５６、ステップＳ５７、ステップＳ５８及びステップＳ６１の各処理が終了した後、再び着信待ち状態にリターンする。
【０１１１】
尚、上記一連の動作において、メッセージデータを着信した後、次のメッセージデータの着信が無い状態が所定の時間以上継続した場合には、自動的に着信回数メモリ２１内に記憶された内容はクリアされる。
【０１１２】
続いて、上記動作の一例として、図２２（ａ）〜（ｃ）に示す、午後２時３０分に、「先日の件で、業務報告し忘れた人は、オフィスにデータを送って下さい。」とのメッセージデータが送信者「Ａ．Ａ」より送信され、さらにその１０分後の午後２時４０分に、「午後３時より、オフィスで打ち合わせを行う予定です。先日の業務報告をしていない人は、データを送っておいて下さい。」とのメッセージデータが同じく送信者「Ａ．Ａ」より送信され、午後２時５０分には「午後３時です、至急、業務報告を送って下さい。」とのメッセージデータが送信された場合を挙げて説明する。尚、図２０のステップＳ５１及びステップＳ５２に示す所定値は、ここでは３０分と設定されているものとし、また、これら一連のメッセージデータを着信する以前には、何のメッセージデータも着信しない状態が３０分以上継続したと仮定する。
【０１１３】
上記のメッセージデータを着信した際に実行される表示状態を図２２に示し、回数カウントメモリ２１２内に格納される各種データの内容を図２３及び図２４に示す。
【０１１４】
まず、午後２時３０分にメッセージデータを着信すると、直近のメッセージデータは３０分以上前に着信したメッセージデータであるので、図２０のステップＳ５０、ステップＳ５１、ステップＳ５８に示す処理を行って、図２２（ａ）に示す表示が行われる。即ち、着信したメッセージデータと、送信者名「Ａ．Ａ」とがディスプレイ１５２上に表示される。
【０１１５】
その後、午後２時４０分にメッセージデータを着信し、送信者が前回のメッセージデータと同じ「Ａ．Ａ」であることを確認すると（ステップＳ４７）、同一表示内容を検索し（ステップＳ４８）、その結果、「オフィス」、「先日」、「業務報告」、「人は」、「データを送って」の内容が同一であることが判明する。そこで、図２３に示すように、回数カウントメモリ２１２において、送信者コードと、上記の同一表示内容が記憶され、各同一内容が連続してメッセージデータに含まれた回数、即ち「２」がカウンタバッファ値として記憶される（ステップＳ５９）。そして、直近にメッセージデータを着信した時刻（午後２時３０分）からの経過時間「１０分」が記憶される。尚、図３に示すように、送信者「Ａ．Ａ」に対応するコードは“０１”であるので、図２３には「０１」と記載されている。また、事前に回数カウントメモリ２１２内に他の表示内容が記憶されていた場合には、今回着信したメッセージデータ中に記載されていない内容については消去処理が行われる（ステップＳ６０）。
【０１１６】
そして、表示制御メモリ２１１（図１８）内に格納された表示制御内容を参照すると、カウント値「２回目」に対しては下線表示を行う旨が指示されているので、ディスプレイ１５２においては、図２２（ｂ）に示すように、「オフィス」、「先日」、「業務報告」、「人は」、「データを送って」の各内容に下線が付されて表示が行われる（ステップＳ６１）。
【０１１７】
午後２時５０分に、再度送信者「Ａ．Ａ」から送信されたメッセージデータを着信すると、回数カウントメモリ２１２内に同一の送信者コードが記憶されていることを確認した後（ステップＳ４７）、メッセージデータ中において表示されるメッセージ内容中の同一表示内容を検索する（ステップＳ４８）。すると、同一の表示内容として「午後３時」及び「業務報告」が発見され、カウンタバッファ値が更新される（ステップＳ５９）。図２４に示すように、「午後３時」は２回連続してメッセージ内容に含まれ、「業務報告」は３回連続してメッセージ内容中に含まれているので、回数カウントメモリ２１２において、それぞれ「２」及び「３」が記載されている。また、前回メッセージデータを着信した時刻（午後２時４０分）から経過した時間「１０分」が記憶される。
【０１１８】
さらに、図２３に示す状態で回数カウントメモリ２１２に記憶されていた「オフィス」、「先日」、「人は」、「データを送って」の各内容は、今回着信したメッセージデータには含まれていないため、回数カウントメモリ２１２から消去されている（ステップＳ６０）。
【０１１９】
表示制御メモリ２１１内に格納された表示制御内容によれば、カウント値３回目は強調表示、２回目は下線表示と指定されているので、図２２（ｃ）においては、「午後３時」の内容には下線が付され、「業務報告」の内容は強調表示が行われている（ステップＳ６１）。
【０１２０】
以上説明したように、本第３の実施の形態においては、同一の送信者より着信したメッセージデータ中において連続して含まれる表示内容を、図２３及び図２４に示す回数カウントメモリ２１２内に記憶し、図１８に示す表示制御メモリ２１１内に格納された表示制御内容に従ってディスプレイ１５２に差別化した表示を行うものである。また、送信者が異なる場合においても、短い時間内に着信したメッセージデータを比較し、同一の表示内容が発見された場合には、これらの表示内容を回数カウントメモリ２１２内に記憶し、差別化した表示を行う。
【０１２１】
従って、重要な用件に関するメッセージデータが連続して送信された場合に、そのメッセージデータのキーワードとなる用件部分を差別化して表示するので、受信者の注意を喚起して重要な用件である旨を知らせることができる。そして、送信者が繰り返しメッセージデータを送信することにより、そのメッセージデータの重要性をも受信者に伝達することができるので、利便性の向上を図ることができる。
【０１２２】
ここで、上記第３の実施の形態においては、連続してメッセージデータに含まれる表示内容ではなく、同一の送信者或いは他の送信者より直近に着信したメッセージデータに含まれていない表示内容、即ち、新しい表示内容を差別化して表示する構成とすることも可能である。
【０１２３】
具体的な動作を図２５のフローチャートに示す。この図２５において、ステップＳ６２〜ステップＳ６７に示す処理は、図２０のステップＳ４１〜ステップＳ４６に示す動作と同様である。
【０１２４】
ステップＳ６７において、メッセージメモリ１１内に、同一の送信者コードが記憶されていた場合には、今回着信したメッセージデータの内容において、新たな表示内容があるか否かを検索し、新たな表示内容が発見されないと判断した場合には（ステップＳ６８）、ステップＳ７０に移行して着信回数メモリ２１内に記憶された各種データをクリアしてステップＳ５８（図２１）の処理を実行する。また、ステップＳ６９において、新たな表示内容があると判断された場合には、この新たな表示内容に対応するカウンタバッファを更新する（ステップＳ７１）。そして、今回のメッセージデータにおいて表示された内容は、新たな表示内容とは言えないので、回数カウントメモリ２１２から消去し（ステップＳ７２）、その後、表示制御メモリ２１１（図１８）に格納された表示制御内容に従って、新たな表示内容を差別化して表示を行い、併せて着信報知と送信者名の表示を行う（ステップＳ７３）。
【０１２５】
上記の動作によれば、毎日定時に送信される定例の報告等、同様の内容が繰り返されることが多いメッセージデータにおいて、新たな内容のみを差別化して表示する事により、注目すべき新規の情報を容易に判別することができる。これによって、非常に多くのデータを着信する場合にも、重要な情報の見落としを防止することができ、利便性を高めることができる。
【０１２６】
また、上記第３の実施の形態においては、表示制御メモリ２１１を着信回数メモリ２１（ＲＡＭ）内に設ける構成としたが、ＲＯＭ１０内に設ける構成としても良い。この場合、受信者が表示制御メモリ２１１の内容を設定しなくても、予めＲＯＭ１０内に表示制御内容が格納されているので、差別化表示を行うことができる。また、送信者が予め表示制御内容を知っておけば、ディスプレイ１５２において実行される差別化表示の内容をより効果的に利用して、送信されたデータの重要性等をより確実に伝達することができる。
【０１２７】
尚、本発明は公衆回線を利用したページャーに限らず無線通信機能を有する各種タイプのデータ受信装置に適用される。つまり、公衆回線を利用しない構内ページャーや、赤外線等で通信する通信機能付の玩具、又通信機能を有するパーソナルコンピューター、電子手帳、ＦＭ文字多重放送受信機、その他の電子計算処理装置にも本発明は適用できるし、電子メールシステム等のメッセージ通信システムにも適用できる。
【０１２８】
更に、上記した実施の形態等では、ディスプレイ１５２は、低反射液晶パネルで構成したが、本発明はこれに限定されるものではなく、例えば、ディスプレイ１５２を有機ＥＬ（Electronic Luminescence ）で構成しても良い。
【０１２９】
【発明の効果】
本発明によれば、送信者が短い期間に何回か同じメッセージを送るだけで、今回の受信が直前のデータ受信から所定時間内であれば、今回受信した分も含めたいままでに受信した送信者からの同一のメッセージデータの受信回数に基づいて、定形受信メッセージに含まれる語句を、受信回数に対応する語句に修飾して、そのメッセージを表示することができるので、送信者の意志や感情を簡便に受信者に、伝達することを可能とすることができる。
【図面の簡単な説明】
【図１】本発明を適用したページャーの内部のブロック構成を示す図。
【図２】図１の着信回数メモリに格納されるデータの構成例を示す図。
【図３】図１の送信者データメモリ（ＲＯＭ）に格納される送信者データテーブルの構成を示す図。
【図４】図１の定型メッセージＲＯＭ内のメモリ構成を示す図。
【図５】図４の定型メッセージＲＯＭ内の定型（固定部分）メッセージメモリＳＭのメモリ構成を示す図。
【図６】図４の定型メッセージＲＯＭ内の変形メッセージメモリＶＭのメモリ構成を示す図。
【図７】図１のページャーにより実行される第１の実施の形態に係る着信処理のフローチャート。
【図８】第１の実施の形態に係る着信処理においてディスプレイに表示される表示内容の第１の態様を示す図。
【図９】第１の実施の形態に係る着信処理においてディスプレイに表示される表示内容の第２の態様を示す図。
【図１０】第１の実施の形態に係る着信処理においてディスプレイに表示される表示内容の第３の態様を示す図。
【図１１】第２の実施の形態に係るページャーの正面外観図。
【図１２】図４の定型メッセージＲＯＭ内の定型（固定部分）メッセージメモリＳＭのメモリ構成を示す図。
【図１３】図１の送信者データメモリ（ＲＯＭ）に格納される送信者データテーブルの構成を示す図。
【図１４】図１１のページャーにより実行される第２の実施の形態に係る着信処理のフローチャート
【図１５】  第２の実施の形態に係る着信処理においてディスプレイに表示される表示内容の第１の態様を示す図。
【図１６】第２の実施の形態に係る着信処理においてディスプレイに表示される表示内容の第２の態様を示す図。
【図１７】第３の実施の形態に係るページャーにおける着信回数メモリの構成を模式的に示す図。
【図１８】図１７の表示制御メモリ内のメモリ構成を示す図。
【図１９】図１７の回数カウントメモリ内のメモリ構成を示す図。
【図２０】第３の実施の形態に係るページャーにより実行される着信処理のフローチャート。
【図２１】第３の実施の形態に係るページャーにより実行される着信処理のフローチャート。
【図２２】第３の実施の形態に係る着信処理においてディスプレイに表示される表示内容の一例を示す図。
【図２３】第３の実施の形態に係る着信処理において、図１７の回数カウントメモリ内に格納されるデータの一例を示す図。
【図２４】第３の実施の形態に係る着信処理において、図１７の回数カウントメモリ内に格納されるデータの一例を示す図。
【図２５】第３の実施の形態の変形例としての着信処理を示すフローチャート。
【符号の説明】
１          アンテナ
２          受信部
３          デコーダ部
４          ＩＤ−ＲＯＭ
５          着信処理制御部
６          メイン制御部
７          キー入力部
８，２１    着信回数メモリ（ＲＡＭ）
９          送信者データメモリ（ＲＯＭ）
１０        ＲＯＭ
１１        メッセージメモリ（ＲＡＭ）
１２        定型メッセージＲＯＭ
１３        発光部
１４        報音部
１５        表示部
【図１】
0003968865.tif 000002
【図２】
0003968865.tif 000003
【図３】
0003968865.tif 000004
【図４】
0003968865.tif 000005
【図５】
0003968865.tif 000006
【図６】
0003968865.tif 000007
【図７】
0003968865.tif 000008
【図８】
0003968865.tif 000009
【図９】
0003968865.tif 000010
【図１０】
0003968865.tif 000011
【図１１】
0003968865.tif 000012
【図１２】
0003968865.tif 000013
【図１３】
0003968865.tif 000014
【図１４】
0003968865.tif 000015
【図１５】
0003968865.tif 000016
【図１６】
0003968865.tif 000017
【図１７】
0003968865.tif 000018
【図１８】
0003968865.tif 000019
【図１９】
0003968865.tif 000020
【図２０】
0003968865.tif 000021
【図２１】
0003968865.tif 000022
【図２２】
0003968865.tif 000023
【図２３】
0003968865.tif 000024
【図２４】
0003968865.tif 000025
【図２５】
0003968865.tif 000026